(57)【要約】【課題】ディジタルカメラにより撮影された画像の検索の容易化と、その際のユーザの負担軽減をはかる。【解決手段】ディジタルカメラにより撮影された写真の保存を行なう撮影データ保存装置であって、撮影前に前記ディジタルカメラの特定のボタンが押下されることによって起動され、ＧＰＳ測位による撮影位置情報に基づき地図データを検索して住所データを取得する住所データ取得手段と、前記取得した住所データが反映されるフォルダを作成し、指定される前記フォルダに前記撮影された写真の画像ファイルを保存する画像ファイル保存手段と、を備えたことを特徴とする撮影データ保存装置を提供する。【選択図】      図１
2004228682.tif 000002
【特許請求の範囲】
【請求項１】
ディジタルカメラにより撮影された写真の保存を行なう撮影データ保存装置であって、
撮影前に前記ディジタルカメラの特定のボタンが押下されることによって起動され、ＧＰＳ測位による撮影位置情報に基づき地図データを検索して住所データを取得する住所データ取得手段と、
前記取得した住所データが反映されるフォルダを作成し、指定される前記フォルダに前記撮影された写真の画像ファイルを保存する画像ファイル保存手段と、
を備えたことを特徴とする撮影データ保存装置。
【請求項２】
ディジタルカメラにより撮影された写真の保存を行なう撮影データ保存装置であって、
撮影前に、撮影場所を特定する音声入力を得、当該音声入力を認識してテキストデータに変換する音声認識手段と、
前記テキストデータが反映されたフォルダを作成し、指定される前記フォルダに前記撮影された写真の画像ファイルを保存する画像ファイル保存手段と、
を備えたことを特徴とする撮影データ保存装置。
【請求項３】
ディジタルカメラにより撮影された写真が保存される撮影データ保存装置のためのフォルダ作成方法であって、
撮影前に、撮影場所を特定する音声入力を得、当該音声入力を認識してテキストデータに変換し、
前記テキストデータが反映されたフォルダを作成し、指定される前記フォルダに前記撮影された写真の画像ファイルを保存すること、
を特徴とするフォルダ作成方法。
【請求項４】
ディジタルカメラにより撮影された写真の保存を行なう撮影データ保存装置に用いられる撮影データ保存プログラムであって、
撮影前に前記ディジタルカメラの特定のボタンが押下されることによって起動され、ＧＰＳ測位による撮影位置情報に基づき地図データを検索して住所データを取得するステップと、
前記取得した住所データが反映されるフォルダを作成し、指定される前記フォルダに前記撮影された写真の画像ファイルを保存するステップと、
をコンピュータに実行させる撮影データ保存プログラム。
【請求項５】
ディジタルカメラにより撮影された写真の保存を行なう撮影データ保存装置に用いられる撮影データ保存プログラムであって、
撮影前に、撮影場所を特定する音声入力を得、当該音声入力を認識してテキストデータに変換するステップと、
前記テキストデータが反映されたフォルダを作成し、指定される前記フォルダに前記撮影された写真の画像ファイルを保存するステップと、
をコンピュータに実行させる撮影データ保存プログラム。
【発明の詳細な説明】
【０００１】
【発明の属する技術分野】
本発明は、ディジタルカメラにより撮影された写真の保存を行なう、撮影データ保存装置およびそのフォルダ作成方法、ならびにフォルダ作成プログラムに関する。
【０００２】
【従来の技術】
ディジタルカメラの高画素化が進み、最近では５００万画素を超える製品が出現するに至った。
ディジタルカメラで撮影された写真は、ＵＳＢ（Ｕｎｉｖｅｒｓａｌ  Ｓｅｒｉａｌ  Ｂｕｓ）ケーブルを介して上位装置であるパソコン（ＰＣ）に取り込まれ、作成されるフォルダにファイル名を付して保存される。あるいは、ディシダルカメラからフラッシュメディア等記録媒体を取り出してＰＣの空きスロットに差込み、上記と同様、フォルダを作成しファイル名を付して保存される。
【０００３】
なお、このとき、画像ファイルはＪＰＥＧ（Ｊｏｉｎｔ  Ｐｈｏｔｏｇｒａｐｈｉｃ  Ｅｘｐｅｒｔ  Ｇｒｏｕｐ）形式で保存され、ファイル名として、連続番号、あるいはタイムスタンプが自動付与される。
【０００４】
ところで、上記したフォルダ内の撮影データ一覧をＰＣで閲覧する場合、表示装置に表示される画像ファイルは、英数文字の組み合わせから成るファイル名が列挙されるのみであり、従って、それぞれの画像ファイルについて、何時、何処で撮影された写真であるかの判別が困難であり、このことは撮影データが増えるほど顕著に現れる。
これを解決するために従来、ＧＰＳ（Ｇｌｏｂａｌ  Ｐｏｓｉｔｉｏｎｉｎｇ  Ｓｙｓｔｅｍ）測位によって得られるディジタルカメラの撮影位置情報を基に、地図ファイルあるいは地名ファイルを検索し、画像ファイルと関連付けて保存し、検索の際に利便性を提供する技術が知られている（特許文献１、２参照）。
【０００５】
【特許文献１】
特開２００１−１５７０９８号公報
【特許文献２】
特開２００２−１９１０１５号公報
【０００６】
【発明が解決しようとする課題】
しかしながら上記した従来技術によれば、いずれもフォルダ作成はＰＣに依存し、従って、ＰＣの操作なくして検索の際の利便性は提供し得なかった。
本発明は上記事情に鑑みてなされたものであり、ディジタルカメラ単体で撮影に先立って特徴有る名前のフォルダを自動生成し、その生成されたフォルダ内に撮影した写真の画像ファイルを保存することにより、後々の画像ファイル検索の容易化と、ユーザの負担軽減をはかった、撮影データ保存装置およびそのフォルダ作成方法、ならびにフォルダ作成プログラムを提供することを目的とする。
【０００７】
【課題を解決するための手段】
上記した課題を解決するために本発明は、ディジタルカメラにより撮影された写真の保存を行なう撮影データ保存装置であって、撮影前に前記ディジタルカメラの特定のボタンが押下されることによって起動され、ＧＰＳ測位による撮影位置情報に基づき地図データを検索して住所データを取得する住所データ取得手段と、前記取得した住所データが反映されるフォルダを作成し、指定される前記フォルダに前記撮影した写真の画像ファイルを保存する画像ファイル保存手段と、を備えたことを特徴とする。
【０００８】
本発明によれば、画像ファイル保存手段が、住所データ取得手段によって取得した住所データが反映されるフォルダを作成し、当該フォルダに前記撮影した画像ファイルを保存することで、ＰＣを使用することなく住所データの取得が可能となり、特徴有る名前のフォルダを自動生成することができるため、後々の画像ファイル検索の容易化と、ユーザの負担軽減をはかった、撮影データ保存装置を提供することができる。
【０００９】
上記した課題を解決するために本発明は、ディジタルカメラにより撮影された写真の保存を行なう撮影データ保存装置であって、撮影前に、撮影場所を特定する音声入力を得、当該音声入力を認識してテキストデータに変換する音声認識手段と、前記テキストデータが反映されたフォルダを作成し、指定される前記フォルダに前記撮影した写真の画像ファィルを保存する画像ファイル保存手段と、を備えたことを特徴とする。
【００１０】
本発明によれば、画像ファイル保存手段が、音声認識手段によって変換されるテキストデータが反映されたフォルダを作成し、当該フォルダに前記撮影した画像ファイルを保存することで、ＰＣを使用することなく撮影の状況や場所を特定するデータの取得が可能となり、特徴有る名前のフォルダを自動生成することができるため、後々の画像ファイル検索の容易化と、ユーザの負担軽減をはかった、撮影データ保存装置を提供することができる。
【００１１】
上記した課題を解決するために本発明は、ディジタルカメラにより撮影された写真が保存される撮影データ保存装置のためのフォルダ作成方法であって、撮影前に、撮影場所を特定する音声入力を得、当該音声入力を認識してテキストデータに変換し、前記テキストデータが反映されたフォルダを作成し、指定される前記フォルダに前記撮影した写真の画像ファイルを保存すること、を特徴とする。
【００１２】
本発明によれば、撮影に先立ち、撮影の状況や場所を特定する音声入力を認識することによりＰＣに依存することなくテキストデータが反映されたフォルダを自動生成することができ、当該フォルダに画像ファイルを保存することにより、後々の画像ファイル検索の容易化と、ユーザの負担軽減がはかれる。
【００１３】
上記した課題を解決するために本発明は、ディジタルカメラにより撮影された写真の保存を行なう撮影データ保存装置に用いられる撮影データ保存プログラムであって、撮影前に前記ディジタルカメラの特定のボタンが押下されることによって起動され、ＧＰＳ測位による撮影位置情報に基づき地図データを検索して住所データを取得するステップと、前記取得した住所データが反映されるフォルダを作成し、指定される前記フォルダに前記撮影した写真の画像ファイルを保存するステップと、をコンピュータに実行させることを特徴とする。
【００１４】
本発明によれば、上記した撮影データ保存プログラムをコンピュータに実行させることにより、ＧＰＳ測位による撮影位置情報に基づき地図データを検索し、住所データを取得して当該住所データが反映されるフォルダを自動生成することができ、当該フォルダに画像ファイルを保存することで、後々の撮影データ検索の容易化と、ユーザの負担軽減がはかれる。
【００１５】
上記した課題を解決するために本発明は、ディジタルカメラにより撮影された写真の保存を行なう撮影データ保存装置に用いられる撮影データ保存プログラムであって、撮影前に、撮影場所を特定する音声入力を得、当該音声入力を認識してテキストデータに変換するステップと、前記テキストデータが反映されたフォルダを作成し、指定される前記フォルダに前記撮影した写真の画像ファイルを保存するステップと、をコンピュータに実行させることを特徴とする。
【００１６】
本発明によれば、上記した撮影データ保存プログラムをコンピュータに実行させることにより、撮影に先立ち、撮影の状況や場所を特定する音声入力を認識することでＰＣに依存することなくテキストデータが反映されたフォルダを自動生成することができ、当該フォルダに画像ファイルを保存することで、後々の画像ファイル検索の容易化と、ユーザの負担軽減がはかれる。
【００１７】
【発明の実施の形態】
図１は、本発明における撮影データ保存装置の一実施形態を示すブロック図である。
図１に示す撮影データ保存装置は、起動ボタン１１と、ＧＰＳレシーバ１２と、住所データ取得部１３と、画像ファィル保存部１４と、地図データＤＢ１５と、画像ファイルＤＢ１６で構成される。
【００１８】
起動ボタン１１は、後述するフォルダ作成のトリガとなるボタンであり、ここではディジタルカメラの任意の箇所に取り付けられるものとする。ＧＰＳレシーバ１２は、ＧＰＳ衛星を用いて撮影位置情報を特定するレシーバであり、ＧＰＳ測位により得られる、緯度、経度の情報は、住所データ取得部１３に供給される。
地図データＤＢ１５は、緯度、経度情報（撮影位置情報）を住所データに変換するための地図データを記憶する。住所データ取得部１３は、撮影前に起動ボタン１１が押下されることによって起動され、ＧＰＳ測位による撮影位置情報に基づき地図データＤＢ１５を検索して住所データを取得する。画像ファイル保存部１４は、取得した住所データが反映されるフォルダを作成し、当該フォルダが指定されたときに撮影した写真の画像ファイルを画像ファイルＤＢ１６に保存する。
【００１９】
図２にその動作がフローチャートで示されている。具体的には、本発明のフォルダ作成プログラムの処理手順が示されている。
ここでは、まず撮影に先立ち、起動ボタン１１がユーザにより押下されているか否かがチェックされる（ステップＳ３１）。
ここで、起動ボタン１１が押下されていた場合、住所データ取得部１３は、ＧＰＳレシーバ１２を介してＧＰＳ測位によって得られる撮影位置情報を取込み（ステップＳ３２）、その緯度、経度情報を基に地図データＤＢ１５を検索する（ステップＳ３３）。検索結果となる住所情報は、画像ファイル保存部１４に供給される。
【００２０】
画像ファイル保存部１４は、地図データＤＢ１５から出力される住所データに基づき、その住所データが反映されたフォルダを作成する（ステップＳ３４）。ここでは、図３にそのフォルダ構造の一例が示されるように、「Ｍｙ  Ｐｉｃｔｕｒｅ」フォルダの中に「新宿区西新宿」のフォルダが作成される。
画像ファイル保存部１４は、更に、写真撮影の度に（ステップＳ３５）、起動ボタン１１の再押下が無いことを確認して（ステップＳ３６）、先に作成済みのフォルダが指定されたときに「新宿区西新宿」のフォルダに画像ファイルを保存する（ステップＳ３７）。ここで作成される画像ファイルには、”００１．ｊｐｇ”、”００２．ｊｐｇ”、”００３．ｊｐｇ”とファイル名が連番で自動付与され、画像ファイルＤＢ１６に格納される。
【００２１】
本実施形態によれば、ＧＰＳ測位による撮影位置情報に基づき取得した住所データが反映された特徴有る名前のフォルダを自動生成することができるため、後々の画像ファイル検索の容易化と、ユーザの負担軽減をはかった、撮影データ保存装置を提供することができる。
【００２２】
図４は、本発明における撮影データ保存装置の他の実施形態を示すブロック図である。
図４に示す撮影データ保存装置は、マイクロフォン２１と、音声認識部２２と、画像ファイル保存部２３と、画像ファイルＤＢ２４で構成される。
【００２３】
マイクロフォン２１は、撮影前にユーザによって発話される撮影の状況や場所を特定する音声を取り込み、音声認識部２２へ供給する。音声認識部２２は、マイクロフォン２１を介して得られる音声を認識してテキストデータに変換し、画像ファイル保存部２３へ供給する。
画像ファイル保存部２３は、音声認識部２２によって出力されるテキストデータが反映されたフォルダを作成し、当該フォルダが指定されたときに当該フォルダに撮影された写真の画像ファイルを画像ファイルＤＢ２４に保存する。
【００２４】
図５にその動作がフローチャートで示されている。具体的には、本発明のフォルダ作成プログラムの処理手順が示されている。
本発明の撮影データ保存装置は、撮影に先立ち押下される起動ボタンによって音声認識が起動され、まず、ユーザによって発話される撮影の状況や場所を特定する音声入力をマイクロフォン２１によって感知し、音声認識部２２へ供給する（ステップＳ４１）。音声認識部２２では、その発話内容を認識してテキストデータに変換して画像ファイル保存部２３へ供給する（ステップＳ４２）。
画像ファイル保存部２３は、音声認識部２２によって出力されるテキストデータをフォルダ名とするフォルダを作成する（ステップＳ４３）。
【００２５】
図６にフォルダ構造の一例が示されるように、「Ｍｙ  Ｐｉｃｔｕｒｅ」フォルダの中に音声認識部２２によって認識されたフォルダ「運動会」が作成される。画像ファイル保存部２３は、更に、ディジタルカメラの撮影ボタンが押下される毎に画像ファイルを生成し（ステップＳ４４）、再度音声入力が無いことを確認して（ステップＳ４５）、先に作成したフォルダの指定があったときに「運動会」フォルダ内に、撮影され、生成される画像ファイルを保存する（ステップＳ４６）。
ここで作成される画像ファイルには、”００１．ｊｐｇ”、”００２．ｊｐｇ”、”００３．ｊｐｇ”とファイル名が連番で自動付与され、画像ファイルＤＢ２４に格納される。
【００２６】
本実施形態によれば、撮影に先立ち、撮影の状況や場所を特定する音声入力を認識し、ＰＣに依存することなく入力された音声のテキストデータが反映されたフォルダを自動生成することができ、当該フォルダに画像ファイルを保存することにより、後々の画像ファイル検索の容易化と、ユーザの負担軽減がはかれる。
【００２７】
なお、上記した本発明実施形態によれば、ＰＣに依存せずにフォルダを作成する例のみ示したが、ディジタルカメラ側で撮影された写真の画像ファイルとＧＰＳ測位により得られる撮影位置情報（緯度、経度）を関連付けてフラッシュメデイアに記録しておき、そのディジタルカメラを、ＵＳＢケーブルを介してＰＣに取り込み、あるいは、フラッシュメディアをＰＣの空きスロット（ＵＳＢポート）に差込むことで、以下に示す応用が可能になる。
図７に、その場合のＰＣの処理手順がフローチャートで示されている。すなわち、ＰＣは、ディジタルカメラ、あるいはフラッシュメディアから上記した撮影位置情報付き画像ファイルを受信し（ステップＳ５１）、その撮影位置情報から住所データを取得する（ステップＳ５２）。そして、アプリケーションによって生成される画面、例えば、日本地図上に、住所データに基づき関連する画像ファイルをグループ分けしてエリア別に一覧表示することができる（ステップＳ５３）。上記した各ステップの処理は、受信した画像ファイル数分だけ繰り返される（ステップＳ５４）。
これにより、ＰＣの画面上で視覚的に画像ファイルの分類・検索をすることができる。
【００２８】
以上説明のように本発明は、ディジタルカメラ単体で、撮影に先立って特徴有る名前のフォルダを自動生成し、その生成されたフォルダ内に撮影した写真の画像ファイルを保存することにより、後々の画像ファイル検索の容易化と、ユーザの負担軽減をはかったものである。
従って、ＰＣ等の上位装置に依存することなく自動的にフォルダを作成でき、このことにより、ディジタルカメラ単体で後々に必要となる画像ファイルの検索を容易にし、ユーザの負担を軽減すると共に利便性を提供することができる。
【００２９】
なお、図１、図４に示す、住所データ取得部１３、画像ファイル保存部１４（２３）、音声認識部２２のそれぞれで実行される手順をコンピュータ読み取り可能な記録媒体に記録し、この記録媒体に記録されたプログラムをコンピュータシステムに読み込ませ、実行することにより本発明の撮影データ保存装置が実現されるものとする。ここでいうコンピュータシステムとは、ＯＳや周辺機器等のハードウアを含むものである。
【００３０】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００３１】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３２】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【図１】本発明の一実施形態を示すブロック図。
【図２】図１に示す実施形態の動作を説明するフローチャートを示す図。
【図３】図１に示す実施形態により作成されるフォルダ構造の一例の図。
【図４】本発明の他の実施形態を示すブロック図。
【図５】図４に示す実施形態の動作を説明するフローチャートを示す図。
【図６】図４に示す実施形態により作成されるフォルダ構造の一例の図。
【図７】本発明の応用例の説明のため引用したフローチャートを示す図。
【符号の説明】
１１…起動ボタン、１２…ＧＰＳレシーバ、１３…住所データ取得部、１４（２３）…画像ファイル保存部、１５…地図データＤＢ、１６（２４）…画像ファイルＤＢ、２１…マイクロフォン、２２…音声認識部
【図１】
2004228682.tif 000003
【図２】
2004228682.tif 000004
【図３】
2004228682.tif 000005
【図４】
2004228682.tif 000006
【図５】
2004228682.tif 000007
【図６】
2004228682.tif 000008
【図７】
2004228682.tif 000009